(57)【要約】【課題】航空機のビジネスクラスの座席、長距離バスの座席などで、足を伸ばしたり、正座やあぐらに、姿勢を変更することができる拡張式座布団を提供する。【解決手段】外側のカバー３に収納されるスライド拡張式の心材５は、左右一対の板状のスライドガイド７が、蝶番手段９により左右に開閉できる。開いた状態で、両側部に突出するハンドル１５により手動で、前方に板状のスライダー１１をスライドさせて突出させれば、座部分の座れる面積を大きくでき、足を伸ばしたり、正座やあぐらに、姿勢を変更することができる。使用しないときにはコンパクトに折りたためる。【選択図】図１
2010022553.tif 000002
【特許請求の範囲】
【請求項１】
外側のカバーと、このカバーに収納されるスライド拡張式の心材と、を有し、この心材は、左右一対の板状のスライドガイドと、これらスライドガイドを左右に開閉する蝶番手段と、各スライドガイドから前方にスライドして出没可能な板状のスライダーと、このスライダーの端側部に固定され、前記スライドガイドの端側部に形成された窓から外部へ突出し、前記スライドを手動で行うためのハンドルと、を有して構成され、前記ハンドルが外部へ突出するため前記カバーの側部に形成されたスリットと、を備えたことを特徴とする拡張式座布団。
【請求項２】
前記カバーは布製であり、前記スライドガイドは、木製の薄い箱状をなして前方が前記スライダーの出没のために開口し、前記スライダーは、木製の板状をなし、前記スライドガイドの内面、および前記スライダーの外面には、一方にガイド突起が形成され、他方には前記ガイド突起に嵌合するガイド溝が形成されたことを特徴とする請求項１に記載の拡張式座布団。
【発明の詳細な説明】
【技術分野】
【０００１】
この発明は、座席の座部分に置いて、座れる面積を大きくするスライド拡張式座布団の構造に関する。
【背景技術】
【０００２】
航空機のビジネスクラスの座席、長距離バスの座席など、座席の座部分の面積が狭いために、座った一定の姿勢を長く続けなくてはならず、つらい思いをしたことがある人は多いと思われる。一定の姿勢を長く続けることでビジネスクラス症候群などと呼ばれる血栓による血流障害が起きる病気も心配される。
【０００３】
特に、座った姿勢で足を伸ばしたいのに、伸ばせないつらさは大きい。また、座った姿勢ではなく、あぐらや横座りに、姿勢を変更したいと強く思ったことがある人も多いと思われる。
このように、足を伸ばしたり、座った姿勢から、あぐらや横座りに、姿勢を変更できたりすれば、楽であり、血流障害が起きる病気の対策にもなる。
【０００４】
以上のような事情から、下記非特許文献１に示すホームページでは、前の座席に紐で空気枕を吊し、この空気枕に足を乗せることで姿勢を変更できる商品も販売されている。
なお、下記特許文献１では、スライドと折りたたみができ、コンパクトにたためる椅子が提案されている。また、下記特許文献２では、スライドと折りたたみができ、コンパクトにたためるまな板が提案されている。
【非特許文献１】http://goods.his-j.com/shop/g/g72016247/
【特許文献１】実登３０５８２２９
【特許文献２】実開平０７−０４４９０８
【発明の開示】
【発明が解決しようとする課題】
【０００５】
しかしながら、非特許文献１では、座った姿勢からやや足を持ち上げ空気枕に足を乗せることはできるものの、足を伸ばしたり、座った姿勢から、あぐらや横座りに、姿勢を変更することはできない。
この発明は、以上の問題点を解決するために、座席で、足を伸ばしたり、あぐらや横座りに、姿勢を変更することができる拡張式座布団を提供することを目的とする。
【課題を解決するための手段】
【０００６】
以上の課題を解決するために、第一発明は、外側のカバーと、このカバーに収納されるスライド拡張式の心材と、を有し、この心材は、左右一対の板状のスライドガイドと、これらスライドガイドを左右に開閉する蝶番手段と、各スライドガイドから前方にスライドして出没可能な板状のスライダーと、このスライダーの端側部に固定され、前記スライドガイドの端側部に形成された窓から外部へ突出し、前記スライドを手動で行うためのハンドルと、を有して構成され、前記ハンドルが外部へ突出するため前記カバーの側部に形成されたスリットと、を備えたことを特徴とする拡張式座布団である。
【０００７】
第二発明は、さらに、前記カバーは布製であり、前記スライドガイドは、木製の薄い箱状をなして前方が前記スライダーの出没のために開口し、前記スライダーは、木製の板状をなし、前記スライドガイドの内面、および前記スライダーの外面には、一方にガイド突起が形成され、他方には前記ガイド突起に嵌合するガイド溝が形成されたことを特徴とする拡張式座布団である。
【発明の効果】
【０００８】
第一、又は第二発明によれば、座席の座部分に拡張式座布団を置いて、拡張式座布団のカバー越しに、中の心材を構成する板状のスライドガイドを蝶番手段で左右に開き、両側部に突出するハンドルにより手動で、前方に板状のスライダーをスライドさせて突出させれば、座部分の座れる面積を大きくでき、足を伸ばしたり、あぐらや横座りに、姿勢を変更することができる。また、使用しないときにはコンパクトに折りたためる。
【０００９】
第二発明によれば、木製のために製造コストを抑えられ、木の柔らかい性質による快適感が得られる。
【発明を実施するための最良の形態】
【００１０】
この発明の実施形態にかかる拡張式座布団を、図１から図５に示す。
［全体概略］
図１に示すように、拡張式座布団１は、外側の布製のカバー３と、このカバー３に収納されるスライド拡張式の心材５と、を有して構成される。このスライド拡張式の心材５は、左右対称の構造を有する。すなわち、左右一対の略板状のスライドガイド７が、蝶番手段９によって、左右に蝶の羽根のように開閉する。各スライドガイド７は、略板状であるが、木製の薄い箱状をなしており、内部には板状の木製のスライダー１１が設けられる。そして、前方が開口１３し、このスライダー１１が前方へスライドして出没可能となっている。
【００１１】
スライドは手動で行う。このため、小さなハンドル１５が、スライダー１１の端側部に固定され、スライドガイド７の端側部に形成された窓１７から外部へ突出する。さらに、ハンドル１５は、カバー３の側部に形成されたスリット１９を通って外部へ突出する。
このハンドル１５はスライドガイド７の端側部に、すなわち、一つのスライドガイド７の一方の側部にのみ設けられるので、スライド動作を安定させるために、ガイド突起２１と、ガイド溝２３が嵌合する位置に形成される。すなわち、スライドガイド７の内面底部には、中央の前後方向に、一条のガイド突起２１が形成される。これに対し、スライダー１１の外面底部には、中央の前後方向に、一条のガイド溝２３が形成される。
【００１２】
［カバー３］
図３に示すように、布製のカバー３は、大きめの座布団カバーの大きさである。幅は、航空機のビジネスクラスの座席の左右幅に応じて設定され、前後の長さは、同座席の座部分の前後長の数割増しから２倍程度とする。外側は、肌に優しい素材が使用され、内側には、クッション材が設けられる。クッション材の表面には、スライダー１１との摩擦を小さくするためのコーティングがされる。カバー３の左右両端部にはスリット１９が形成される。
【００１３】
［スライドガイド７］
スライドガイド７は、全体として略板状であるが、実際には木製の薄い箱状をなしており、内部には板状のスライダー１１を収納する空間があり、前方の面全体が開口１３する。
【００１４】
［蝶番手段９］
図４に示すように、蝶番手段９は、強度の高い繊維を用いた織り布を、左右一対のスライドガイド７に跨って貼り付けて、構成する。もっとも、通常の金属製の蝶番金具を使用することもできる。
【００１５】
［スライダー１１］
スライダー１１は、木製の板状であり、スライドガイド７の空間にぴったりと収まる。
スライドガイド７に対してスライダー１１をスライド突出させた状態で、すなわち拡張式座布団１を広げた状態での寸法は、前記カバー３の寸法に概略一致させる。
【００１６】
［窓１７］
窓１７は、箱状のスライドガイド７の端側部に、細い長方形のスリット１９として形成される。
【００１７】
［ハンドル１５］
ハンドル１５は、窓１７から突出するに十分な長さを有する。突出量は、人が指で操作でき、座席の座面に拡張式座布団１を置いた状態で、周囲にじゃまにならないことが望ましい。
【００１８】
［スリット１９］
カバー３のスリット１９は、窓１７の長さ、および位置に、一致する。
［ガイド突起２１とガイド突起２１］
ガイド突起２１とガイド突起２１は、スライドガイド７とスライダー１１の前後方向の全長に形成される。
【００１９】
「実施形態の効果」
この実施形態によれば、折りたたんだ状態（図５参照）の拡張式座布団１を使用するに際しては、カバー越しに、中の心材５を構成する板状のスライドガイド７を蝶番手段９で左右に開き、両側部に突出するハンドル１５により手動で、前方に板状のスライダー１１をスライドさせて突出させる。これにより、拡張式座布団１の広さは、略４倍近くに広がる。
【００２０】
図２に示すように、この広がった状態で、座席２５の座部分に拡張式座布団１を置いて、その上に座る。これにより座部分２７の座れる面積を大きくでき、足を伸ばしたり、あぐらや横座りに、姿勢を変更することができる。
また、使用しないときには、図５に示すように、カバー越しに、中の心材５を構成する板状のスライドガイド７を蝶番手段９で閉じ、両側部に突出するハンドル１５により手動で、板状のスライダー１１をスライドさせて収納すれば、略１/４の大きさにコンパクトに縮小でき、持ち運びに便利となる。
【００２１】
また、スライドガイド７とスライダー１１は、木製のために製造コストを抑えられ、布製のカバー越しに木の柔らかい性質が感じられ快適感が得られる。
【００２２】
「他の実施形態」
以上の実施形態では、スライドガイド７は、木製の薄い箱状であったが、他の実施形態では、必ずしも断面は箱状の閉じた四角である必要はない。例えば、断面を下向きのコ字状とし、コ字状の両先端を内側に９０度屈曲し、スライダー１１を抱持する断面にでき、これにより、軽量化が図れる。
【００２３】
以上の実施形態では、スライドガイド７やスライダー１１は木製としてが、他の実施形態では、プラスチック製や金属製とすることができる。
【図面の簡単な説明】
【００２４】
【図１】この発明の一実施形態にかかる拡張式座布団を示す全体概略斜視図である。
【図２】図１の拡張式座布団の使用状態を表す側面図である。
【図３】図１の外観図である。
【図４】図１の心材を裏返しにした図である。
【図５】図１の拡張式座布団を折りたたんだ状態を示す斜視図である。
【符号の説明】
【００２５】
１…拡張式座布団、３…カバー、５…心材、７…スライドガイド、９…蝶番手段、１１…スライダー、１３…開口、１５…ハンドル、１７…窓、１９…スリット、２１…ガイド突起、２３…ガイド溝。
【図１】
2010022553.tif 000003
【図２】
2010022553.tif 000004
【図３】
2010022553.tif 000005
【図４】
2010022553.tif 000006
【図５】
2010022553.tif 000007